(57)【特許請求の範囲】
【請求項１】
昇降かご（５）内の床面（６）、側壁面（７）及び天井（８）と出入口（３）を各養生パネルにより養生保護するエレベーター内の養生方法であって、
先ず、床面養生パネル（１０）の三辺の端縁部（１０ａ）、（１０ｂ）、（１０ｃ）と残一辺の端縁部（１０ｄ）の中央部位に、熱可塑性硬質合成樹脂材により一体成形され、かつ肉薄細帯状のヒンジ部（２１）と、該ヒンジ部（２１）を介して左右対称に連結形成された一対のばね性を有する挟着部（２２）、（２２ａ）を有する連結材（２０）の前記一方の挟着部（２２）が挟み込まれ、これら一方の挟着部（２２）は異方性のゴムマグネットテープ（２５）を介して前記床面（６）に吸着されるとともに、各他方の挟着部（２２ａ）はそれぞれヒンジ部（２１）を介して上向きＬ形状に折り曲げられ、かつ前記ゴムマグネットテープ（２５）を介して前記各側壁面（７）の下部に吸着されて、前記床面（６）上に前記床面養生パネル（１０）が定置され、
次いで、前記床面養生パネル（１０）の残り一端縁部（１０ｄ）の中央部位に取り付けられた前記連結材（２０）の他方の挟着部（２２ａ）に、乗場ドア（４）と昇降かごドア（９）の全開状態が維持されて形成された前記出入口（３）の上面を養生保護し、かつエレベーターの運転時には、取り付けられている引き紐（１３）が手前に引かれることにより前記昇降かご（５）内に折り返される出入口養生パネル（１２）の端縁部（１２ａ）の中央部位が挟み込まれて連結され、
次いで、前記各側壁面（７）のコーナー部の上部には、それぞれ前記連結材（２０）が、Ｌ字状にして、かつ挟着部（２２）、（２２ａ）を側壁面（７）に沿った水平状して吸着され、
次いで、前記各側壁面（７）の上部に取り付けられた連結材（２０）における水平状の挟着部（２２）、（２２ａ）と、下部に取り付けられた各連結材（２０）における上向きの挟着部（２２ａ）に、各側壁面養生パネル（１４）が挟み込まれて取り付けられ、
次いで、穴明きの天井養生パネル（１６）の四辺端縁部に、それぞれ前記連結材（２０）の一方の挟着部（２２）が挟み込まれるとともに、各連結材（２０）におけるそれぞれの下向き挟着部（２２ａ）が前記各側壁面養生パネル（１４）における最上部に挟み込まれ、かつ前記ゴムマグネットテープ（２５）を介して前記側壁（７）に吸着され、
以って、前記昇降かご（５）内の前記床面（６）、側壁面（７）及び前記天井（８）と前記出入口（３）が前記それぞれの養生パネル（１０）、（１２）、（１４）、（１６）により養生保護されるエレベーター内の養生方法。
【発明の詳細な説明】
【技術分野】
【０００１】
本発明は、エレベーターの昇降かご内の床面、側壁面及び天井と出入口をそれぞれの養生パネルにより一時的に養生保護するエレベーター内の養生方法に関する。
【背景技術】
【０００２】
一般にエレベーターは、図４に示されているように、乗場１に面して設けられた三方枠２と、この三方枠２の内側に形成された出入口３と、この出入口３に設けられた乗場ドア４と、この乗場ドア４の内側に設けられた昇降かご５を有している。
【０００３】
昇降かご５は、図５に概略的に示されているように、床面６、側壁面７、天井８及び昇降かごドア９を有し、昇降かごドア９と乗場ドア４はほぼ同時に開閉するようになっている。
【０００４】
このような構成に係るエレベーターは、例えば、建築物であるビルオーナーの所有物であり、ビル入居者の使用物である。
【０００５】
そこで、エレベーターの設置してあるビル等において建築作業や改築作業等を行う場合、建築資材や工具類等の搬入・搬出、作業員の出入りが階段の上がり下がりであるとすると、作業効率が悪いばかりか、疲労度が増すためにエレベーターを借りて使用することになる。
【０００６】
ところで、エレベーターを借用する以上はこれを傷付けたり、汚したりすることは許されないために、これら外傷等からエレベーターの出入口や昇降かご内を養生保護する必要がある。
【０００７】
従来のエレベーターの養生としては、図１５から図１８に示されているように、床面６上に床面養生パネル１０がマグネットテープ等（図示を省略）で仮固定されて床面が養生され、床面養生パネル１０の出入口３側に面した端縁には蝶番１１を介して折り返し養生パネル１２が連結され、乗場ドア４と昇降ドア９の開成時には、折り返し養生パネル１２の対向する両側端が両ドア４、９に当たっていて開成状態が維持され、折り返し養生パネル１２により出入口３や敷居が養生保護され（図１５参照）、エレベーターの運転時には、昇降かご５内の作業員によって折り返し養生パネル１２と連結の紐１３が手前に引かれることにより蝶番１１を介して折り返し養生パネル１２が昇降かご５内に折り返され、乗場ドア４と昇降かごドア９との当たりが解除されて両ドア４、９は閉成されるようになっている（図１６参照）。
【０００８】
側壁面７の養生は、図１５及び図１６に示されているように、縦方向に一部分を除いた各側壁面７に側壁面養生パネル１４がマグネットテープや粘着テープ（図示を省略）で仮固定されて各側壁面が養生されている。
【０００９】
天井８の養生は、図１７及び図１８に示されているように、すのこ状補強枠１５の下面側に、多数の穴１７を有する穴明き天井養生パネル１６が釘着等により重合固定され、これが各側壁面７の四隅に立設され、かつ粘着テープ等（図示を省略）で仮固定された４本の支柱１８の上端に水平状態で載置されて天井８が養生されている。
【００１０】
なお、天井養生パネル１６に明けられている多数の穴１７は、天井に設けられている照明（図示を省略）の明かり、熱を外に出すためである。
【００１１】
このように従来においては、床面養生パネル１０と折り返し養生パネル１２は蝶番１１をもって連結されるため、小さい蝶番１１の場合には止めねじも細く、折り返し養生パネル１２の折り返し操作回数が多くなると、止めねじが抜けて蝶番１１が外れてしまうために用をなさず、又、大きい蝶番１１の場合には、止めねじも太く大きくてパネル１０、１２から突出して床面等の被養生面を傷付けてしまうという問題点があった。
【００１２】
又、従来においては、天井８の養生のためには、各側壁面７の四隅にそれぞれ支柱１８を立てて仮固定しなければならないため、工具による支柱材の切断作業や粘着テープ等による側壁７への仮固定作業に多くの時間を要して、養生作業時間の短縮化という要請に答え得るものではなかった。
【発明の開示】
【発明が解決しようとする課題】
【００１３】
本発明が解決しようとする問題点は、床面養生パネル１０と折り返し養生パネル１２との蝶番１１を介しての枢着に問題があって、下地を傷付けたり、又、折り返し養生パネル１２を繰り返し何回にもわたって使用することができないという点である。
【００１４】
又、天井８の養生には、側壁７の四隅にそれぞれ支柱１８を立設し、かつ粘着テープ等で側壁７に仮固定しなければならないために、現場における支柱材の切断等の作業時間が長くなって、迅速に養生作業ができないという点である。
【００１５】
本発明の目的は、ねじ等の固着具を用いることなく、吸着脱自在な吸着手段を備えた連結材により、各養生パネルによるエレベーター内の養生作業を迅速にして、かつ容易に行うことができる養生法方を提供することにある。
【００１６】
この目的のため、本発明の請求項1に記載の養生法方は、昇降かご５内の床面６、側壁面７及び天井８と出入口３を各養生パネルにより養生保護するエレベーター内の養生方法であって、
先ず、床面養生パネル１０の三辺の端縁部１０ａ、１０ｂ、１０ｃと残り一辺の端縁部１０ｄの中央部位に、熱可塑性硬質合成樹脂材により一体成形され、かつ肉薄細帯状のヒンジ部２１と、該ヒンジ部２１を介して左右対称に連結形成された一対のばね性を有する挟着部２２、２２ａを有する連結材２０の前記一方の挟着部２２が挟み込まれ、これら一方の挟着部２２は異方性のゴムマグネットテープ２５を介して前記床面６に吸着されるとともに、各他方の挟着部２２ａはそれぞれヒンジ部２１を介して上向きＬ形状に折り曲げられ、かつ前記ゴムマグネットテープ２５を介して前記各側壁面７の下部に吸着されて、前記床面６上に前記床面養生パネル１０が定置され、
次いで、前記床面養生パネル１０の残り一端縁部１０ｄの中央部位に取り付けられた前記連結材２０の他方の挟着部２２ａに、乗場ドア４と昇降かごドア９の全開状態が維持されて形成された前記出入口３の上面を養生保護し、かつエレベーターの運転時には、取り付けられている引き紐１３が手前に引かれることにより前記昇降かご５内に折り返される出入口養生パネル１２の端縁部１２ａの中央部位が挟み込まれて連結され、
次いで、前記各側壁面７のコーナー部の上部には、それぞれ前記連結材２０が、Ｌ字状にして、かつ挟着部２２、２２ａを側壁面７に沿った水平状して吸着され、
次いで、前記各側壁面７の上部に取り付けられた連結材２０における水平状の挟着部２２、２２ａと、下部に取り付けられた各連結材２０における上向きの挟着部２２ａに、各側壁面養生パネル１４が挟み込まれて取り付けられ、
次いで、穴明きの天井養生パネル１６の四辺端縁部に、それぞれ前記連結材２０の一方の挟着部２２が挟み込まれるとともに、各連結材２０におけるそれぞれの下向き挟着部２２ａが前記各側壁面養生パネル１４における最上部に挟み込まれ、かつ前記ゴムマグネットテープ２５を介して前記側壁面７に吸着され、
以って、前記昇降かご５内の前記床面６、側壁面７及び前記天井８と前記出入口３が前記それぞれの養生パネル１０、１２、１４、１６により養生保護される構成を特徴とするものである。
【発明の効果】
【００１７】
請求項1に記載の発明によれば、連結材をそのマグネットテープを介して床面、側壁面に吸着し、これら連結材の挟着部に各養生パネルを挟み込むだけでよいから、エレベーターにおける昇降かご内の床面、各側壁面及び天井と出入口を簡易にして、かつ迅速に、しかも被養生面を損なうことなく、養生保護することができる。
【００１８】
【００１９】
【００２０】
【００２１】
【００２２】
【００２３】
【００２４】
【００２５】
【発明を実施するための最良の形態】
【００２６】
以下に図面を参照して、本願に係る発明を実施するための最良の形態についてその作用と共に説明する。
【００２７】
先ず、本方法において用いられる養生パネルの連結材について説明する。図１は、連結材の一例での一部省略の平面図、図２は、図１の２―２線に沿った断面図、図３は、ゴムマグネットテープの部分拡大断面図である。
【００２８】
これら図において、本連結材２０は、その全体が熱可塑性硬質合成樹脂材である例えば、ポリプロピレン樹脂材、ポリエチレン樹脂材、ＡＢＳ樹脂材による一体成形品として得られるもので、肉薄細帯状のヒンジ部２１と、該ヒンジ部２１を介して左右対称に連設された一対の挟着部２２、２２ａを含んでいる。
【００２９】
なお、本連結材２０は、長尺物として得られ、養生パネルの連結箇所や連結形態等の条件に対応し、適当な長さに切断して使用される。
【００３０】
一対の挟着部２２、２２ａは、ばね性を有する一対の挟着片２３、２３ａと、該一対の挟着片２３、２３ａをコ字形に連結し、かつヒンジ部２１と連なる連結片２４、２４ａを有し、  該一対の挟着部２２、２２ａは、養生パネルを連結する際に、それぞれ一対の挟着片２３、２３ａがそのばね性に抗しコ字形に拡開して養生パネルが差し込まれ、かつ一対の挟着片２３、２３ａのばね性により固定的に挟着連結されるように構成されている。
【００３１】
一対の挟着部２２、２２ａにおける挟着片２３、２３ａの一方又は両方の表面に、着脱可能なゴムマグネットテープ２５が設けられている。
【００３２】
このゴムマグネットテープ２５は、異方性のゴムマグネットテープであって、図３に示されているように、磁気の強い面２６を外側に向け、磁気の弱い面側は布製両面テープ２７を介して挟着片２３に接着固定されている。
【００３３】
なお、図１においてゴムマグネットテープ２５は部分的に設けられているが、これに限定されず、挟着片２３、２３ａの長手方向全体に設けるようにしてもよい。  
【００３４】
次に、上記の構成に係る連結材２０を用いた本発明方法について、図６から図１４を参照して説明する。
【００３５】
図６は、本発明に係る方法によるエレベーター内の養生構造の一例での一部横断の概略平面図で、乗場ドア４と昇降かごドア９の開成状態を示し、図７は、図６における床面養生パネル１０と折り返し養生パネル１２の連結状態を示す一部を省略し、かつ断面して示す側面図、図８は、本発明に係る方法によるエレベーター内の養生方法の一例での一部横断の概略平面図で、乗場ドア４と昇降かごドア９の閉成状態を示す。
図９は、折り返し養生パネル１２が折り畳まれた状態を示す一部を省略し、かつ断面して示す側面図、図１０は、昇降かご５の側壁面７のコーナーにおける側壁面養生パネル１４の連結状態を示す一部省略の断面図、図１１は、側壁面７等に対する連結材２０の吸着状態を示す部分断面図、図１２は、床面養生パネル１０の側壁面７との連結状態を示す一部省略の部分断面図、図１３は、天井養生パネル１６と各側壁面７との連結状態を示す概略平面図、図１４は、天井養生パネル１６と側壁面７との連結状態を示す一部省略の断面図である。
【００３６】
先ず、床面養生パネル１０の三辺の端縁部１０ａ、１０ｂ、１０ｃと残り一辺の端縁部１０ｄに、それぞれ連結材２０における一方の挟着部２２が挟み込まれ、かつゴムマグネットテープ２５を介して床面６に吸着されるとともに、これら連結材２０における他方の挟着部２２ａはヒンジ部２１を介して略Ｌ形に折り曲げ形成され、かつマグネットテープ２５を介して各側壁面７の下部に吸着されて、床面６上に床面養生パネル１０が定置される（図６及び図１２参照）。
【００３７】
次いで、床面養生パネル１０の一端縁中央部位に設けられた連結材２０における他方の挟着部２２ａには、折り返し養生パネル１２の端縁部１２ａが挟み込まれて連結される。
【００３８】
この折り返し養生パネル１２は、乗場ドア４と昇降ドア９の開成時にはその対向する両側端が両ドア４、９に当たっていて開成状態が維持されて出入口３や敷居が養生保護され（図６参照）、エレベーターの運転時には、昇降かご５内の作業員によって折り返し養生パネル１２と連結の紐１３が手前に引かれることにより、連結材２０におけるヒンジ部２１を介して折り返し養生パネル１２が図７に示された実線矢印方向に回動して昇降かご５内に折り返され、乗場ドア４と昇降かごドア９との当たりが解除されて両ドア４、９は閉成されるようになっている（図８、図９参照）。
【００３９】
次いで、各側壁面７のコーナー部の上部には、それぞれ連結材２０が、Ｌ字状にして、かつ挟着部２２、２２ａを側壁面７に沿った水平状して吸着される（図１０参照）。
【００４０】
次いで、各側壁面７の上部に取り付けられた連結材２０における水平状の挟着部２２、２２ａと、下部に取り付けられた各連結材２０における上向きの挟着部２２ａに、各側壁面養生パネル１４が挟み込まれて取り付けられる（図１０、図１２参照）。
【００４１】
次いで、穴明きの天井養生パネル１６の四辺端縁部に、それぞれ前記連結材２０の一方の挟着部２２が挟み込まれて取り付けられるとともに、各連結材２０におけるそれぞれの下向き挟着部２２ａが各側壁面養生パネル１４における最上部(図１０に示されている状態での各挟着部２２、２２aから上方に出ている最上部)に挟み込まれ、かつゴムマグネットテープ２５を介して側壁面７に吸着される(図１３及び図１４参照)。
【００４２】
なお、天井養生パネル１６に明けられている多数の穴１７は、天井に設けられている照明（図示を省略）の明かり、熱を外に出すためである。
【００４３】
このようにして、エレベーターの昇降かご５内の床面６、側壁面７及び天井８と出入口３は、連結金具を一切要することなく、それぞれに吸着配置された連結材２０と、これら連結材２０の挟着部２２、２２aに挟み込まれた各養生パネル１０、１２、１４、１６によって養生保護される。
【図面の簡単な説明】
【００４４】
【図１】本発明に用いられる連結材の一例での一部省略の平面図である。
【図２】図１の２―２線に沿った断面図である。
【図３】ゴムマグネットテープの部分拡大断面図である。
【図４】エレベーターの概略正面図である。
【図５】一部を切欠して示す昇降かごの概略斜視図である。
【図６】本発明に係る方法によるエレベーター内の養生構造の一例での一部横断の概略平面図で、乗場ドアと昇降かごドアの開成状態を示す。
【図７】図６における床面養生パネルと折り返し養生パネルの連結状態を示す一部を省略し、かつ断面して示す側面図である。
【図８】本発明に係る方法によるエレベーター内の養生構造の一例での一部横断の概略平面図で、乗場ドアと昇降かごドアの閉成状態を示す。
【図９】折り返し養生パネルが折り畳まれた状態を示す一部を省略し、かつ断面して示す側面図である。
【図１０】昇降かごの側壁面のコーナーにおける側壁面養生パネルの連結状態を示す一部省略の断面図である。
【図１１】側壁面等に対する連結材の吸着状態を示す部分断面図である。
【図１２】床面養生パネルの側壁面との連結状態を示す一部省略の断面図である。
【図１３】天井養生パネルと各側壁面との連結状態を示す概略平面図である。
【図１４】天井養生パネルと側壁面との連結状態を示す一部省略の断面図である。
【図１５】従来のエレベーターの養生構造を示す一部横断の概略平面図で、乗場ドアと昇降かごドアの開成状態を示す。  
【図１６】従来のエレベーターの養生構造を示す一部横断の概略平面図で、乗場ドアと昇降かごドアの閉成状態を示す。  
【図１７】従来の天井養生パネルの一部省略の平面図である。
【図１８】図１７の１８−１８線に沿った断面図である。
【符号の説明】
【００４５】
３   出入口
４ 乗場ドア
５ 昇降かご
６ 床面
７ 側壁面
８ 天井
９ 昇降かごドア
１０ 床面養生パネル
１０a、１０ｂ、１０ｃ、１０d 床面養生パネルの端縁部
１２ 折り返し養生パネル
１２ａ 折り返し養生パネルの端縁部
１３ 紐
１４ 側壁面養生パネル
１６ 天井養生パネル
１７ 穴
２０ 連結材
２１ ヒンジ部
２２、２２ａ   一対の挟着部
２３、２３ａ 一対の挟着片
２４、２４ａ 連結片
２５ ゴムマグネットテープ
【図１】
0004110151.tif 000002
【図２】
0004110151.tif 000003
【図３】
0004110151.tif 000004
【図４】
0004110151.tif 000005
【図５】
0004110151.tif 000006
【図６】
0004110151.tif 000007
【図７】
0004110151.tif 000008
【図８】
0004110151.tif 000009
【図９】
0004110151.tif 000010
【図１０】
0004110151.tif 000011
【図１１】
0004110151.tif 000012
【図１２】
0004110151.tif 000013
【図１３】
0004110151.tif 000014
【図１４】
0004110151.tif 000015
【図１５】
0004110151.tif 000016
【図１６】
0004110151.tif 000017
【図１７】
0004110151.tif 000018
【図１８】
0004110151.tif 000019